(57)【要約】【課題】建物の美観を損なわずに取り付けることができ、比較的重い物でも引っ掛けることができて使用用途の広いハンガーフックＨ及びそれを用いた壁面活用システムを提供する。【解決手段】ハンガーフックＨは、壁面６１の取付穴６２に拡径部１２が壁面６１に露出した状態で挿入されて取付固定されかつ基端面１３にネジ穴１４が設けられたインサート部材Ｉと、先端部にインサート部材Ｉのネジ穴１４と係合可能なネジ部２０が設けられている一方、基端側にフック部２１が設けられ、ネジ部２０とインサート部材Ｉのネジ穴１４との係合によってインサート部材Ｉに一体的に取付可能なフック部材Ｆと、を備える。【選択図】図１
2019120301.tif 000002
【特許請求の範囲】
【請求項１】
建物の取付部に開口する取付穴に取り付けられるハンガーフックであって、
前記取付部の取付穴に基端部が該取付部の表面に露出した状態で挿入されて取付固定され、基端面に有底状のインサート係合穴部が設けられたインサート部材と、
先端部に前記インサート部材のインサート係合穴部と係合可能なフック係合部が設けられている一方、基端側にフック部が設けられ、前記フック係合部とインサート係合穴部との係合によってインサート部に一体的に取付可能なフック部材と、
を備えたことを特徴とするハンガーフック。
【請求項２】
請求項１に記載したハンガーフックおいて、
先端部にジョイント係合部が設けられている一方、基端面にジョイント係合穴部が設けられたジョイント部材をさらに備え、
前記ジョイント係合部とインサート係合穴部との係合、及びジョイント係合穴部とフック係合部との係合によってインサート部材とフック部材との間にジョイント部材が一体的に取付可能とされている
ことを特徴とするハンガーフック。
【請求項３】
請求項１又は２に記載したハンガーフックにおいて、
前記インサート部材は、前記取付部の取付穴に対して螺合により取付固定される雄ネジを有する
ことを特徴とするハンガーフック。
【請求項４】
請求項２又は３に記載したハンガーフックにおいて、
前記インサート係合穴部及びジョイント係合穴部はネジ穴であり、且つ、前記フック係合部及びジョイント係合部は前記ネジ穴と螺合締結されるネジ部である
ことを特徴とするハンガーフック。
【請求項５】
請求項３又は４に記載したハンガーフックにおいて、
前記インサート部材のインサート係合穴部の開口部周りの壁部に、インサート部材を回転させるための工具が係合される工具係合部が形成されている
ことを特徴とするハンガーフック。
【請求項６】
請求項３乃至５のいずれか１項に記載したハンガーフックにおいて、
前記ジョイント部材のジョイント係合穴部の開口部周りの壁部に、ジョイント部材を回転させるための工具が係合される工具係合部が形成されている
ことを特徴とするハンガーフック。
【請求項７】
請求項３乃至６のいずれか１項に記載したハンガーフックにおいて、
前記フック部材の前記フック部の基端面には、フック部材を回転させるための工具が係合される工具係合凹部が形成されている
ことを特徴とするハンガーフック。
【請求項８】
請求項１乃至７のいずれか１項に記載したハンガーフックが建物の壁部の取付穴にインサート部材により取付固定されている
ことを特徴とする壁面活用システム。
【請求項９】
請求項８に記載した壁面活用システムにおいて、
吊下げ物を引っ掛けて吊り下げるための引掛部を有する水平方向に長い板状の吊下部材が前記ハンガーフックに固定又は吊り下げられている
ことを特徴とする壁面活用システム。
【請求項１０】
請求項９に記載した壁面活用システムにおいて、
前記吊下部材は前記インサート部材又は前記ジョイント部材と前記フック部材との間に挟み込まれて固定されている
ことを特徴とする壁面活用システム。
【請求項１１】
請求項８乃至１０のいずれか１項に記載した壁面活用システムにおいて、
板状体が前記ハンガーフック又は前記吊下部材に固定若しくは吊り下げられている
ことを特徴とする壁面活用システム。
【請求項１２】
請求項８に記載した壁面活用システムにおいて、
上面に係合溝部が形成され、前記ハンガーフックに載置されて支持される水平部を有する取付対象物と、
前記ハンガーフックのインサート部材とフック部材との間に昇降移動可能に挟持され、上部に、前記取付対象物の水平部上面に当接する当接部と、前記係合溝部に係合可能な爪部とを有する係合片とを備え、
前記取付対象物は、水平部の係合溝部に、下降位置にある前記係合片の爪部が係合し且つ該水平部が係合片の当接部と前記フック部材との間に挟みこまれて固定されるように構成されている
ことを特徴とする壁面活用システム。
【発明の詳細な説明】
【技術分野】
【０００１】
本発明は、壁面等に用いる取付対象物を取り付けるハンガーフック及びそれを用いた壁面活用システムに関するものである。
【背景技術】
【０００２】
従来より、建物の壁面を収納領域等として利用する技術として、例えば特許文献１や特許文献２に示されるものが提案されている。特許文献１の壁掛けタイプのマガジンラックは、マガジン収納領域を形成する線材フレーム取付用のパネルの裏面に面材側のフック片を、壁面に壁面側フック片をそれぞれ固定し、上下の面材側及び壁面側のフック片同士の係合によってパネルを壁面に支持するようにしている。
【０００３】
特許文献２の衣類掛け等の壁取付部品は、外周面に雄ネジが形成されたコア体と、このコア体の挿通孔に挿入したネジと、このネジの頭部に係合する係合部とコア体の雄ネジに螺合される雌ネジが形成された内周面とを有し、コア体に螺合されて取り付けられるキャップとを備え、コア体にキャップ体を螺合させることにより、コア体とネジとキャップ体とが一体となって、壁等に取り付けられるようになっている。
【先行技術文献】
【特許文献】
【０００４】
【特許文献１】特開平１１−１５５６５８号公報
【特許文献２】特開２０１１−１６３３７８号公報
【発明の概要】
【発明が解決しようとする課題】
【０００５】
特許文献１のマガジンラックや特許文献２の壁取付部品は、設置するためにネジ等で壁面に穴をあけることとなる。そのため、上記のマガジンラックや壁取付部品が一旦取り付けられると、それらを取り外した後にも壁に穴があいたままとなり、取り外した後に建物の美観が損なわれてしまう。それを避けるには、壁面にあいた穴を元通りに埋める修復工事が必要となる。また、特許文献１のマガジンラックを取り付けたままでは、その壁を他の用途として利用できないので不便である。
【０００６】
そして、特許文献２の壁取付部品は、部屋の利用者が壁の好きな場所に簡単に設置することができる。その反面、壁のあらゆる位置に設置されると、建物の美観が損なわれてしまう可能性が大きくなる。これは、賃貸住宅などのように利用者が変わることが想定されている場合、特に顕著な問題となる。
【０００７】
さらに、特許文献２の壁取付部品のように利用者が容易に取り付けることができることが想定されているものは、ネジ等の取付部品のサイズが制限されるので、壁に取り付ける対象物は比較的軽量なものに限定されてしまう。
【０００８】
本発明は斯かる点に鑑みてなされたものであり、その目的は、建物の美観を保ちつつ、その建物の一部である壁などに、比較的重い物をも保持できるようにすることにより、その壁などの建物の一部を多様な用途に利用することである。
【課題を解決するための手段】
【０００９】
上記の目的を達成するために、この発明では、建物の施工時に壁などに挿入しておくことができるインサート部材と、物を引っ掛けるためのフック部材とを分離することとした。
【００１０】
具体的には、第１の発明は、建物の取付部に開口する取付穴に取り付けられるハンガーフックであって、前記取付部の取付穴に基端部が該取付部の表面に露出した状態で挿入されて取付固定され、基端面に有底状のインサート係合穴部が設けられたインサート部材と、先端部に前記インサート部材のインサート係合穴部と係合可能なフック係合部が設けられている一方、基端側にフック部が設けられ、前記フック係合部とインサート係合穴部との係合によってインサート部に一体的に取付可能なフック部材と、を備えることを特徴とする。
【００１１】
この第１の発明では、建物の取付部に取付固定するためのインサート部材と、物を引っ掛けるためのフック部材とを分離しておくことで、建物の施工時にインサート部材のみを予め取付固定しておき、建物の利用者が必要なときに限りフック部材をインサート部材に係合させて一体にするということができる。これによって、美観の観点から、ハンガーフックを建物のどこに取り付けるようにしておくかを建物の施工時に予め検討することができるので、美観を損なわないで取り付けて使用できるハンガーフックを提供できる。また、建物の施工時にインサート部材を取付固定するので、寸法が大きく、比較的重い物でも引っ掛けることのできるハンガーフックを取り付けることができる。その結果、美観を損なわずに、使用用途の広いハンガーフックを提供できる。
【００１２】
第２の発明は、第１の発明において、先端部にジョイント係合部が設けられている一方、基端面にジョイント係合穴部が設けられたジョイント部材をさらに備え、前記ジョイント係合部とインサート係合穴部との係合、及びジョイント係合穴部とフック係合部との係合によってインサート部材とフック部材との間にジョイント部材が一体的に取付可能とされていることを特徴とする。
【００１３】
この第２の発明では、インサート部材及びフック部材に係合可能なジョイント部材を備えることで、ハンガーフックにおけるインサート部材からフック部材までの長さを長くすることができる。これによって、ハンガーフックは用途に応じて長さを変えられるから、使用用途のさらに広いハンガーフックを提供できる。
【００１４】
第３の発明は、第１又は２の発明において、前記インサート部材は、前記取付部の取付穴に対して螺合により取付固定される雄ネジを有することを特徴とする。
【００１５】
この第３の発明では、インサート部材を雄ネジの螺合により取付穴に固定するので、ハンガーフックは取付部に確実に安定して固定され、比較的重い物でも引っ掛けることができる。
【００１６】
第４の発明は、第２又は第３の発明において、前記インサート係合穴部及びジョイント係合穴部はネジ穴であり、且つ、前記フック係合部及びジョイント係合部は前記ネジ穴と螺合締結されるネジ部であることを特徴とする。
【００１７】
この第４の発明では、インサート部材又はジョイント部材と、ジョイント部材又はフック部材とを、ネジ穴とネジ部との螺合により結合することができるので、ジョイント部材及びフック部材の取り付けを簡単且つ確実にすることができる。
【００１８】
第５の発明では、第３又は第４の発明において、前記インサート部材のインサート係合穴部の開口部周りの壁部に、インサート部材を回転させるための工具が係合される工具係合部が形成されていることを特徴とする。
【００１９】
第６の発明では、第３乃至第５の発明のいずれか１つにおいて、前記ジョイント部材の前記係合穴部の開口部周りの壁部に、ジョイント部材を回転させるための工具係合部が形成されていることを特徴とする。
【００２０】
これらの第５又は第６の発明では、インサート部材又はジョイント部材の前記係合穴部の開口部周りの壁部に工具係合部が形成されていることから、インサート部材又はジョイント部材を取付穴又はジョイント係合穴部に取り付ける際に、工具を使用して回転させることができる。これによって、インサート部材又はジョイント部材を取付穴又はジョイント係合穴部にねじ込んで取り付けることができる。
【００２１】
第７発明では、第３乃至第６の発明のいずれか１つにおいて、前記フック部材の前記フック部の基端面には、フック部材を回転させるための工具が係合される工具係合凹部が形成されていることを特徴とする。
【００２２】
この第７の発明では、フック部材の基端面に工具係合凹部が形成されていることから、フック部材をインサート係合穴部又はジョイント係合穴部に取り付ける際に、工具を使用して回転させることができる。これによって、フック部材をインサート係合穴部又はジョイント係合穴部にねじ込んで取り付けることができる。
【００２３】
第８の発明は壁面活用システムに係り、この壁面活用システムは、第１乃至第７の発明のいずれか１つのハンガーフックが建物の壁部の取付穴にインサート部材により取付固定されていることを特徴とする。
【００２４】
この第８の発明は、第１乃至第７の発明の作用効果を奏する壁面活用システムを得ることができる。
【００２５】
第９の発明は、第８の発明において、吊下げ物を引っ掛けて吊り下げるための引掛部を有する水平方向に長い板状の吊下部材が前記ハンガーフックに固定又は吊り下げられていることを特徴とする。
【００２６】
この第９の発明は、ハンガーフックに固定又は吊り下げられた吊下部材を利用することで、ハンガーフックの使用用途を広げることができる。
【００２７】
第１０の発明は、第９の発明において、吊下部材は前記インサート部材又は前記ジョイント部材と前記フック部材との間に挟み込まれて固定されていることを特徴とする。
【００２８】
この第１０の発明では、吊下部材をインサート部材又は前記ジョイント部材と前記フック部材との間に挟み込んで固定することによって、板状部材をハンガーフックに確実に固定することができる。
【００２９】
第１１の発明は、第８乃至第１０の発明のいずれか１つにおいて、板状体が前記ハンガーフック又は前記吊下部材に固定若しくは吊り下げられていることを特徴とする。
【００３０】
この第１１の発明では、板状体をハンガーフック又は吊り下げ部材に固定若しくは吊り下げて使用することで、ハンガーフックの使用用途を広げることができる。
【００３１】
第１２の発明は、第８の発明において、上面に係合溝部が形成され、前記ハンガーフックに載置されて支持される水平部を有する取付対象物と、前記ハンガーフックのインサート部材とフック部材との間に昇降移動可能に挟持され、上部に、前記取付対象物の水平部上面に当接する当接部と、前記係合溝部に係合可能な爪部とを有する係合片とを備え、前記取付対象物は、水平部の係合溝部に下降位置にある前記係合片の爪部が係合し且つ該水平部が係合片の当接部と前記フック部材との間に挟みこまれて固定されるように構成されていることを特徴とする。
【００３２】
この第１２の発明では、水平部を有する取付対象物を、係合片の当接部とフック部材との間に水平部が挟みこまれ、水平部の係合溝部に係合片の爪部が係合されるようにして固定することから、その取付対象物を容易にハンガーフックに固定することができる。また、係合片の爪部を取付対象物の水平部の係合溝部に係合させることから、固定された取付対象物を確実に安定して固定保持することができる。
【発明の効果】
【００３３】
以上説明したように、本発明によると、施工時に取付部に挿入しておくことができるインサート部材と、物を引っ掛けるためのフック部材とを分離したので、建物の施工時にインサート部材のみを予め取り付けておき、建物の施工後に建物の利用者が必要なときに限りフック部材をインサート部材に取り付けて一体にすることができ、建物の美観を損なわずに取り付けられ、比較的重い物でも引っ掛けることができる、使用用途の広いハンガーフックを提供できる。
【図面の簡単な説明】
【００３４】
【図１】図１は、本発明の実施形態１に係るハンガーフックを示す側面図である。
【図２】図２は、インサート部材の側面図である。
【図３】図３は、フック部材の側面図である。
【図４】図４は、実施形態２に係るハンガーフックを示す図１相当図である。
【図５】図５は、ジョイント部材の側面図である。
【図６】図６は、実施形態３に係るハンガーフックのフック部材を示す図である。
【図７】図７は、壁面活用システムにおいて、ハンガーフックに取り付けられる長押を示す正面図である。
【図８】図８は、ハンガーフックに長押を取り付けた状態を示す断面図である。
【図９】図９は、ハンガーフックに板状体を吊り下げた状態を示す断面図である。
【図１０】図１０は、ハンガーフックに額縁を取り付ける状態を分解して示す斜視図である。
【図１１】図１１は、ハンガーフックに額縁が取り付けられる直前の状態を示す断面図である。
【図１２】図１２は、ハンガーフックに額縁が取り付けられた状態を示す図１１相当図である。
【発明を実施するための形態】
【００３５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３６】
（実施形態１）
図１は、本発明の実施形態に係るハンガーフックＨを示し、このハンガーフックＨは、図８に示すように、建物の取付部である例えば室内の壁６０の壁面６１に開口している取付穴６２に取り付けられる。ハンガーフックＨは、インサート部材Ｉとフック部材Ｆとを備えている。このハンガーフックＨは、例えば鋼材により構成されている。
【００３７】
図２は、前記インサート部材Ｉを示している。インサート部材Ｉは棒状のもので、その先端側（図２において右側）において、壁６０に穿設された取付穴６２に対して螺合により取付固定されるための雄ネジ１０を有している。また、インサート部材Ｉは、雄ネジ１０の基端側（図２において左側）において、雄ネジ１０と同心の中間部１１を有し、この中間部１１は、先端側から基端側に向かって外径が段階的に大きくなるように形成されている。インサート部材Ｉは、中間部１１のさらに基端側に外径が徐々に拡がっている円錐台状の拡径部１２を有し、この拡径部１２は、その基端面１３において径方向に最も大きく拡がっている。
【００３８】
インサート部材Ｉには、基端面１３においてフック部材Ｆと係合するためのネジ穴１４（インサート係合穴部）が形成されている。インサート部材Ｉのネジ穴１４の開口部周りの壁部には、例えば６角形状に形成されてなる工具係合部１５が形成され、この工具係合部１５に、インサート部材Ｉを回転させるために６角レンチなどの工具を差し込むことができるようになっている。
【００３９】
すなわち、ハンガーフックＨは、例えば建物の室内の壁６０に穿設された取付穴６２に取付固定して用いられるので、壁６０の施工時にインサート部材Ｉに対応する形状の取付穴６２を、壁面６１の所定位置に予めドリルなどによって形成しておき、その取付穴６２にインサート部材Ｉを挿入して取り付ける。このとき、工具係合部１５に６角レンチなどの工具を差し込み、インサート部材Ｉを回転させて取付穴６２に取り付けることができるようになる。
【００４０】
インサート部材Ｉは、取付穴６２に取り付けたとき、その拡径部１２の基端面１３が壁面６１に露出しており、仮にインサート部材Ｉが壁に埋め込まれて隠れている場合に比べて、視認しやすくて容易にフック部材Ｆを取り付け得ると共に、美観の上でも好ましい。
【００４１】
壁面６１において取付穴６２を形成する位置には、その内側に柱などの頑丈な部材が配置されていることが必要であり、インサート部材Ｉは、その柱などの頑丈な部材にまで到達するように挿入される。このようにして、ハンガーフックＨは、頑丈な柱などによって強固に支持された状態で壁に取付固定される。
【００４２】
尚、インサート部材Ｉを取り付ける取付穴６２は、壁面６１に限らず壁面６１の外に露出した柱などに形成してもよい。また、インサート部材Ｉを取り付ける方法は、取付穴６２に直接ねじ込む方法に限らず、例えば、インサート部材Ｉと係合可能な埋込部材を予め取付穴６２に埋め込んでおき、インサート部材Ｉをその埋込部材に係合させる方法でもよい。
【００４３】
インサート部材Ｉの寸法は、例えば、全体の長さが５０ｍｍ、雄ネジの長さが２６〜２９ｍｍ、雄ねじの径が１２ｍｍ、拡径部の径が１４ｍｍである。
【００４４】
図３は、フック部材Ｆを示している。フック部材Ｆは、その先端側（図３において右側）においてネジ部２０（フック係合部）を有している。このネジ部２０は、インサート部材Ｉのネジ穴１４と螺合締結するように、該ネジ穴１４に対応した形状に形成されている。フック部材Ｆは、そのネジ部２０においてインサート部材Ｉのネジ穴１４に螺合締結したときに、インサート部材Ｉと一体となりハンガーフックＨを構成する。
【００４５】
フック部材Ｆは、基端側（図３において左側）において、フック部２１を有している。フック部２１は、ネジ部２０との接続部及び基端部においてそれぞれ径方向に拡がった先端側フランジ部２２及び基端側フランジ部２３を有している。両フランジ部２２，２３の間には径の大きさが両フランジ部２２，２３よりも小さい円柱状の中間部２４が形成されている。フランジ部２２，２３は、インサート部材Ｉの基端面１３と同等か又は大きな径で形成されている。尚、フック部材Ｆは、基端側フランジ部２３と中間部２４との間に径がネジ部２０の径と同等の接続部２５を有していてもよく、基端側フランジ部２３と中間部２４とが直接繋がっていてもよい。
【００４６】
フック部材Ｆをインサート部材Ｉに取り付けるとき、インサート部材Ｉはその基端面１３においてもっとも径が大きく形成されており、また、フック部材Ｆは先端側フランジ部２２を有するので、インサート部材Ｉの基端面１３とフック部材Ｆの先端側フランジ部２２とが当接し、フック部材Ｆが安定してインサート部材Ｉに取り付けられるようになっている。
【００４７】
また、フック部材Ｆの基端面２６には、例えば断面６角形状の凹部からなる工具係合凹部（図示しない）が形成されていてもよい。この場合、工具係合凹部に６角レンチなどの工具を差し込み、フック部材Ｆを回転させてインサート部材Ｉに取り付けることができる。
【００４８】
フック部材Ｆの寸法は、例えば、全体の長さが３４〜３５ｍｍ、ネジ部２０の長さが１５〜１８ｍｍ、先端側フランジ部２２の径が１６ｍｍ、基端側フランジ部２３の径が２０ｍｍである。
【００４９】
前述のように、使用者は、壁面６１の所定位置に取付穴６２を形成して、その取付穴６２に予めハンガーフックＨのインサート部材Ｉが埋め込まれた状態にしておく。ハンガーフックＨは、使用者が使用する場合には、既に壁６０に埋め込まれているインサート部材Ｉにフック部材Ｆを取り付ける。そして、フック部材Ｆのフック部２１に衣類や帽子などの吊下げ物を吊り下げて使用すればよい。
【００５０】
インサート部材Ｉは壁面６１に複数取付固定してもよい。複数のインサート部材Ｉ，Ｉ，…は、例えば、４５５ｍｍの間隔で複数の柱が内部に配された壁において、当該複数の柱が配された位置であって高さ略１９００ｍｍの位置の壁面６１に複数の取付穴６２，６２，…を穿設し、その各取付穴６２，６２，…にインサート部材Ｉを雄ネジ１０が柱に達するように挿入して取付固定するのが好ましい。
【００５１】
そして、建物の施工後、使用者が複数のハンガーフックＨ，Ｈ，…を使用する際には、取付固定された複数のインサート部材Ｉ，Ｉ，…に対して、必要な位置のインサート部材Ｉにフック部材Ｆを、そのネジ部２０がインサート部材Ｉのネジ穴１４に螺合締結されるようにして取り付ける。
【００５２】
上記で説明したように各インサート部材Ｉ，Ｉ，…が頑丈な柱等によって支持されることによって、比較的重い物を複数のハンガーフックＨ，Ｈ，…のフック部２１，２１，…に同時に引っ掛けて使用することができる。複数のハンガーフックＨ，Ｈ，…を利用することによって、一つのハンガーフックＨのみを利用する場合に比べて使用用途が広がる。
【００５３】
（実施形態２）
図４は実施形態２に係るハンガーフックＨを示す（尚、以下の実施形態では、図１〜図３と同じ部分については同じ符号を付してその詳細な説明は省略する）。ハンガーフックＨは、実施形態１のものに加え、ジョイント部材Ｊをさらに備えており、インサート部材Ｉとフック部材Ｆとの間にジョイント部材Ｊを挟み込んで取り付ける。
【００５４】
ジョイント部材Ｊは、図５に示すようにその先端側（図５において右側）においてネジ部３０（ジョイント係合部）を有している。このネジ部３０は、インサート部材Ｉのネジ穴１４と螺合締結するように、インサート部材Ｉのネジ穴１４に対応した形状に形成されている。ジョイント部材Ｊは、そのネジ部３０がインサート部材Ｉのネジ穴１４と螺合締結することにより、インサート部材Ｉと一体となる。
【００５５】
ジョイント部材Ｊは、そのネジ部３０の基端側において、径方向に拡がったフランジ部３１を有しており、さらにその基端側に円柱状のジョイント部３２を有している。ジョイント部材Ｊのフランジ部３１は、インサート部材Ｉの基端面１３と同等か又は大きな径で形成されている。尚、ジョイント部材Ｊは、そのフランジ部３１とジョイント部３２との間に径がネジ部の径と同等の接続部３５を有していてもよく、フランジ部３１とジョイント部３２とが直接繋がっていてもよい。
【００５６】
ジョイント部材Ｊにおけるジョイント部３２の基端面３３には、ネジ穴３４（ジョイント係合穴部）が形成されている。ジョイント部材Ｊのネジ穴３４は、フック部材Ｆのネジ部２０が螺合締結するように、フック部材Ｆのネジ部２０に対応する形状に形成されている。インサート部材Ｉに取り付けられたジョイント部材Ｊのネジ穴３４に対して、フック部材Ｆのネジ部２０が螺合締結することにより、フック部材Ｆがインサート部材Ｉ及びジョイント部材Ｉと一体となりハンガーフックＨを構成する。すなわち、ジョイント部材Ｊのネジ部３０はフック部材Ｆのネジ部２０と、またジョイント部材Ｊのネジ穴３４はインサート部材Ｉのネジ穴１４とそれぞれ同じものとなる。
【００５７】
また、ジョイント部材Ｊは、そのネジ穴３４の開口部周りの壁部に例えば断面６角形状の穴部からなる工具係合部（図示しない）が形成されていてもよい。この場合、その工具係合部に６角レンチなどの工具を差し込み、ジョイント部材Ｊを回転させてインサート部材Ｉのネジ穴１４に取り付けることができる。
【００５８】
ハンガーフックＨは、ジョイント部材Ｊをフック部材Ｆとインサート部材Ｉとの間に介在させることにより、壁面から突出する長さを長くすることが出来る。これによって、以下で説明するように、ハンガーフックＨの使用用途が広くなる。
【００５９】
ハンガーフックＨの使用時には、図４に示すように、インサート部材Ｉにジョイント部材Ｊを取り付け、そのジョイント部材Ｊにフック部材Ｆを取り付ける。これによって、ハンガーフックＨは、ジョイント部材Ｊの分だけ壁面から長く突出することとなる。この場合、ハンガーフックＨは、フック部材Ｆのフック部２１や、ジョイント部材Ｊのジョイント部３２に吊下げ物を吊り下げて使用することができる。
【００６０】
ジョイント部材Ｊの寸法は、例えば全体の長さが４０ｍｍ、連結部の径が１２ｍｍである。
【００６１】
（実施形態３）
図６は実施形態３に係るハンガーフックＨのフック部材Ｆを示し、実施形態１とはフック部材Ｆを変えたものである。すなわち、この実施形態では、実施形態１と異なり、フック部材Ｆは、いわゆるアイボルトからなり、その先端側（図６において右側）においてネジ部２０（フック係合部）を有している。このネジ部２０は、実施形態１のものと同じであり、インサート部材Ｉのネジ穴１４又はジョイント部材Ｊのネジ穴３４と螺合締結するように、該ネジ穴１４に対応した形状に形成されている。フック部材Ｆは、そのネジ部２０においてインサート部材Ｉのネジ穴１４に螺合締結したときに、インサート部材Ｉと一体となりハンガーフックＨを構成する。
【００６２】
これに対し、フック部材Ｆのフック部２１は、実施形態１とは異なり、円環状に湾曲した棒状体からなり、その外周の一部で前記ネジ部の基端部に溶接されて一体化されている。その他の構成は実施形態１と同じである。
【００６３】
（ハンガーフックの壁面活用システム）
次に、以上のハンガーフックＨを用いた本発明の実施形態に係る壁面活用システムについて説明する。
【００６４】
実施形態１に係るハンガーフックＨを用い、その複数のハンガーフックＨ，Ｈ，…を壁６０に取り付けて、これらに、例えば子供の遊具としての縄梯子を引っ掛けて使用する。この場合は、壁面６１の縄梯子の幅に相当する距離だけ離間した２箇所にハンガーフックＨ，Ｈを取り付け、その２つのハンガーフックＨ，Ｈに縄梯子の両側の縄を吊り下げる。
【００６５】
また、実施形態３に係るハンガーフックＨを用い、その複数のハンガーフックＨ，Ｈ，…を壁面６１に取り付けて、これらにハンモックを引っ掛けて使用する。例えば、ハンモックの両端部を室内の向かい合う壁面６１，６１に架け渡す場合には、各壁面６１に２つずつのハンガーフックＨ，Ｈを取り付ける。そして、一方の壁面６１の２つのハンガーフックＨ，Ｈのフック部２１，２１（円環状に湾曲した棒状体）にハンモックの一端部と繋がった紐を通して連結し、同様に他方の壁面６１の２つのハンガーフックＨ，Ｈのフック部２１，２１にハンモックの他端部と繋がった紐を通して連結する。このようにして、ハンモックをその両端部が両壁面６１，６１のハンガーフックＨ，Ｈ，…から紐で吊り下げられた状態として使用する。
【００６６】
また、図１０乃至図１２に示すように、実施形態１に係る例えば２つのハンガーフックＨ，Ｈに、２つの係合片７０，７０を組み合わせて額縁７１を固定することもできる。額縁７１の上枠部７２は、ハンガーフックＨ，Ｈに載置されて支持される本発明でいう水平部を構成する。この上枠部７２の断面構造を特定することで、その上面に係合溝部７３が形成されている。また、上枠部７２の下面はフック部２１における中間部２４及びフランジ部２２，２３に対応する断面形状となっており、その下面には、フック部２１の中間部２４に載置される支持部７２ａと、その支持部７２ａの前側に位置し、フック部２１の基端側フランジ部２３に係合する係合凹部７２ｂと、支持部７２ａの後側に位置し、フック部２１の先端側フランジ部２２に係合する係合段部７２ｃとが形成されている。
【００６７】
各係合片７０は板状の金属部材をＬ字状に折り曲げて形成されたものであり、上下方向に延びる縦部７０ｄと、その縦部７０ｄの上端から水平方向に延びる当接部としての横部７０ｃとを有する。その横部７０ｃの先端部には下方に折れ曲がった爪部７０ａが形成されており、縦部７０ｄに上下方向の長孔７０ｂが貫通形成されている。各係合片７０は、図１０に示すように、その爪部７０ａを下方に向け、上下長孔７０ｂをインサート部材Ｉのネジ穴１４に重ね合わせ、フック部材Ｆのネジ部２０をインサート部材Ｉのネジ穴１４に螺合締結させて取り付けられる。
【００６８】
各係合片７０の長孔７０ｂは上下方向に長いので、各係合片７０は、図１１に示すようにハンガーフックＨのインサート部材Ｉとフック部材Ｆとの間に昇降移動可能に挟持される。
【００６９】
額縁７１をハンガーフックＨ，Ｈに取り付けるときには、まず、図１１に示すように、額縁７１は、各係合片７０を上げた状態で、上枠部７２をその下部の支持部７２ａが各フック部材Ｆの中間部２４に載置され、係合段部７２ｃ及び係合凹部７２ｂがそれぞれ先端側フランジ部２２及び基端側フランジ部２３に係合されるようにフック部２１の上部に載置する。
【００７０】
そして、図１２に示すように各係合片７０を下ろして下降位置に位置付け、各係合片の爪部７０ａを係合溝部７３に係合させる。各係合片７０は、上部に位置する横部７０ｃの下面で、額縁７１の上枠部７２に当接する。このようにして、額縁７１は、上枠部７２が係合片７０の当接部７０ｃとフック部材Ｆとの間に挟みこまれて固定される。
【００７１】
尚、ハンガーフックＨには、額縁７１に限らず、その上枠部７２に代わるような水平部を有しているものであれば、そのような水平部をハンガーフックＨに固定して、上記と同様に取り付けることができる。
【００７２】
実施形態２に係るハンガーフックＨを用いた壁面活用システムについて説明する。ハンガーフックＨは、例えば、図７に示されるような長押４０をハンガーフックＨに固定して使用することもできる。長押４０は、水平方向に長い板状に形成されており、長手方向に沿って、例えば５つの水平長孔４１，４１，…を有している。尚、長押４０の裏面には、その上側縁部及び下側縁部に、裏面側（図８において左側）に突出する補強リブ４２，４２が形成されており、この補強リブ４２，４２によって長押４０が変形しにくくなっている。
【００７３】
長押４０は、その裏面をインサート部材Ｉに取り付けられたジョイント部材Ｊの基端面３３に向け、ジョイント部材Ｊとの間にワッシャー５０を介した状態で取り付けられ、表面側からフック部材Ｆのネジ部２０を長押４０の水平長孔４１とワッシャー５０とに挿通させ、ジョイント部材Ｊのネジ穴３４に螺合締結させることにより固定する。水平長孔４１，４１，…は、ジョイント部材Ｊの位置が多少ずれていても、そのずれを吸収してフック部材Ｆのネジ部２０をジョイント部材Ｊのネジ穴３４に螺合できるように、水平方向に長く形成されている。
【００７４】
長押４０に吊下げ物を吊り下げるときには、長押４０の上縁に吊り下げてもよいし、水平長孔４１に吊り下げてもよい。ハンガーフックＨのジョイント部材Ｊの分だけ、長押４０と壁面６１との間に空間ができるので、長押４０の上縁又は水平長孔４１，４１，…に、例えば衣類を掛けたハンガーを引っ掛けることができる。また、長押４０の上縁及び水平長孔４１，４１，…は水平方向に長いので、衣類を掛けたハンガーを複数吊り下げることができる。
【００７５】
また、ハンガーフックＨには、長押４０以外にも、様々な機能を有する板状体８０を固定することができる。そのような板状体８０として、例えばホワイトボード、マグネットボード、ボルダリング用のボード、ねこステップが取り付けられたボード、ハンギングレールが取り付けられたパネル、檜パネル、有孔ボードなどを挙げることができる。さらに、板状体８０と一体となった収納ボックスなども、板状体８０をハンガーフックＨに固定することで壁面８１に取り付けることができる。
【００７６】
尚、板状体８０は、上記のようにフック部材Ｆとジョイント部材Ｊ又はインサート部材Ｉとの間に固定する方法に限らず、例えば、板状体８０をハンガーフックＨのフック部２１に吊して使用してもよい。例えば、図９に示すように、板状体８０の上部裏面に左右２つのリンク状の吊金具８１，８１を板状金具８２，８２と固定ネジ８３，８３（これらは図９で左右一方のみ示す）により固定して設け、この吊金具８１，８１をフック部２１，２１に引っ掛けることで板状体８０を吊り下げて使用してもよい。また、長押４０も板状体８０と同様に、例えば吊金具８１、板状金具８２、及び固定ネジ８３を用いてフック部２１に引っ掛けて使用することもできる。
【００７７】
以上示したように、本発明に係るハンガーフックＨを用いることで、壁面６１を多様な用途のために利用できる壁面活用システムが実現できる。
【産業上の利用可能性】
【００７８】
本発明は、美観を損なわずに多様な機能を有するハンガーフック及びそれを用いた壁面活用システムとして極めて有用であり、産業上の利用可能性が高い。
【符号の説明】
【００７９】
Ｈ        ハンガーフック
Ｉ        インサート部材
１０      雄ネジ
１２      拡径部（基端部）
１４      ネジ穴（インサート係合穴部）
１５      工具係合部
Ｆ        フック部材
２０      ネジ部（フック係合部）
２１      フック部
Ｊ        ジョイント部材
３０      ネジ部（ジョイント係合部）
３４      ネジ穴（ジョイント係合穴部）
４０      長押（吊下げ部材）
６０      壁（取付部）
６１      壁面
６２      取付穴
７０      係合片
７０ａ    爪部
７０ｃ    当接部
７１      額縁（取付対象物）
７２      上枠部（水平部）
７３      係合溝部
８０      板状体
【図１】
2019120301.tif 000003
【図２】
2019120301.tif 000004
【図３】
2019120301.tif 000005
【図４】
2019120301.tif 000006
【図５】
2019120301.tif 000007
【図６】
2019120301.tif 000008
【図７】
2019120301.tif 000009
【図８】
2019120301.tif 000010
【図９】
2019120301.tif 000011
【図１０】
2019120301.tif 000012
【図１１】
2019120301.tif 000013
【図１２】
2019120301.tif 000014